【手続補正書】
【提出日】平成25年11月26日(2013.11.26)
【手続補正１】
【補正対象書類名】特許請求の範囲
【補正対象項目名】全文
【補正方法】変更
【補正の内容】
【特許請求の範囲】
【請求項１】
信号生成器であって、
振動出力信号の周波数を制御するためにフィードバック信号に反応し、多位相振動出力信号を生成するように構成された発振回路と、
前記発振回路の多位相振動出力信号のうちのそれぞれの振動出力信号と電気的に連絡し、多位相振動出力信号のうちのそれぞれの振動出力信号の周波数に対応する周波数依存性電流信号を生成するように各々構成された複数の周波数−電流変換回路と、
前記周波数−電流変換回路と電気的に連絡し、前記発振回路に向けてフィードバック信号を生成するために前記周波数−電流変換回路の出力信号を基準信号と比較するように構成されたフィードバック変換回路と、
を備える信号生成器。
【請求項２】
請求項１記載の信号生成器において、
前記周波数−電流変換回路の各々は、
振動出力信号を受信するように配置され、前記発振回路の振動出力信号の周波数に対応する非重複クロック信号を生成する非重複クロック回路と、
前記周波数−電流変換回路の出力信号を生成するために非重複クロック信号に反応する周波数−電流変換器と、
を備える信号生成器。
【請求項３】
請求項１記載の信号生成器において、
前記周波数−電流変換回路の出力信号は、共通の電流比較ノードへ提供される信号生成器。
【請求項４】
請求項２記載の信号生成器において、
前記周波数−電流変換器は、充電回路を備え、
前記充電回路は、
キャパシタと、
前記非重複クロック回路からの第１の非重複クロック信号の受信に基づき伝導状態と非伝導状態とで切り替え可能な第１のＭＯＳトランジスタと、
前記非重複クロック回路からの第２の非重複クロック信号の受信に基づき伝導状態と非伝導状態とで切り替え可能な第２のＭＯＳトランジスタと、を備え、
前記周波数−電流変換回路の出力信号の生成を促進するため、前記第１および第２のＭＯＳトランジスタを通る電流の流れは、前記キャパシタを交互に充電および放電する信号生成器。
【請求項５】
請求項４記載の信号生成器において、
前記発振回路は、電流制御形発振器であり、
前記信号生成器は、
電流比較ノードにて前記第１のＭＯＳトランジスタまたは前記第２のＭＯＳトランジスタへ接続され、前記第１のＭＯＳトランジスタまたは第２のＭＯＳトランジスタを通じて前記キャパシタを充電するために使用される定電流基準と、
電流比較ノードへ接続された第１の入力と、電圧基準信号を受信するために接続された第２の入力と、電圧基準信号と電流比較ノードにおける電圧との差に対応するフィードバック信号として前記発振器へ提供される出力信号とを有する電圧−電流変換器と、をさらに備える信号生成器。
【請求項６】
請求項５記載の信号生成器において、
基準電流は、プログラム可能である信号生成器。
【請求項７】
請求項１記載の信号生成器において、
フィードバック信号の寄生振動を阻止するために前記周波数−電流変換器の出力信号を受信するように配設されたループ補償回路をさらに備える信号生成器。
【請求項８】
請求項４記載の信号生成器において、
前記発振回路は、電圧制御形発振器であり、
前記周波数−電流変換回路は、
第１および第２の電流ブランチを有する電流ミラーと、
電圧充電ノードにて前記第１または第２のＭＯＳトランジスタと電気的に連絡し、前記第１または第２のＭＯＳトランジスタを通じて前記キャパシタを充電するために使用される定電圧基準であって、前記電流ミラーの第１のブランチが電圧充電ノードと電気的に連絡する定電圧基準と、
電流比較ノードにて前記電流ミラーの第２の電流ブランチと電気的に連絡する定電流源であって、電流比較ノードにおける電流が定電流源の電流と前記電流ミラーの第１のブランチを流れる電流との差に対応する定電流源と、
電流比較ノードと電気的に連絡する第１の入力と、電圧基準信号と電気的に連絡する第２の入力と、電圧基準信号と電流比較ノードにおける電圧との差に対応するフィードバック信号として前記発振器へ提供される出力信号とを有する電流−電圧変換器と、を備える信号生成器。
【請求項９】
請求項８記載の信号生成器において、
振動出力信号の周波数を変えるため、基準電流はプログラム可能である信号生成器。
【請求項１０】
請求項１記載の信号生成器において、
前記発振回路は、電流枯渇形リング発振器を備える信号生成器。
【請求項１１】
請求項１記載の信号生成器において、
前記発振回路は、弛張発振器を備える信号生成器。
【請求項１２】
請求項１記載の信号生成器において、
前記発振回路は、電圧制御形発振器を備える信号生成器。
【請求項１３】
信号生成器であって、
周波数が電流フィードバック信号の大きさに対応する振動出力信号を有し、多位相振動出力信号を生成するように構成された電流制御形発振器と、
前記電流制御形発振器の多位相振動出力信号のうちのそれぞれの振動出力信号と電気的に連絡する複数の周波数−電流変換回路であって、前記周波数−電流変換回路の各々が、
前記電流制御形発振器から多位相振動出力信号のうちの１つの振動出力信号を受信するように配置され、前記電流制御形発振器の多位相振動出力信号のうちの１つの振動出力信号の周波数に対応する非重複クロック信号を生成する非重複クロック回路と、
非重複クロック信号を受信するように配置され、電流比較ノードで前記電流制御形発振器の多位相振動出力信号のうちの１つの振動出力信号の周波数に対応する大きさを有する周波数依存性電流を生成するために非重複クロック信号に反応する周波数−電流変換器と、を備える複数の周波数−電流変換回路と、
周波数依存性電流との比較により電流比較ノードで補正電圧を生成するため、電流比較ノードで基準電流を提供するように構成された定電流基準回路と、
補正電圧を受信するように配置された第１の入力と基準電圧を受信するように配置された第２の入力とを有し、電流フィードバック信号として前記電流制御形発振器と連絡する出力を有する相互コンダクタンス増幅器と、
を備える信号生成器。
【請求項１４】
請求項１３記載の信号生成器において、
振動出力信号の周波数を変えるため、前記定電流基準回路の基準電流はプログラム可能である信号生成器。
【請求項１５】
請求項１３記載の信号生成器において、
前記電流制御形発振器は、電流枯渇形リング発振器を備える信号生成器。
【請求項１６】
請求項１３記載の信号生成器において、
前記電流制御形発振器は、弛張発振器を備える信号生成器。
【請求項１７】
請求項１３記載の信号生成器において、
前記周波数−電流変換器は、
キャパシタと、
前記非重複クロック回路からの第１の非重複クロック信号の受信に基づき伝導状態と非伝導状態とで切り替え可能な第１のＭＯＳトランジスタと、
前記非重複クロック回路からの第２の非重複クロック信号の受信に基づき伝導状態と非伝導状態とで切り替え可能な第２のＭＯＳトランジスタと、を備え、
電流比較ノードで前記周波数−電流変換器の周波数依存性電流を生成するため、前記第１および第２のＭＯＳトランジスタを通る電流の流れは前記キャパシタを交互に充電および放電する信号生成器。
【請求項１８】
請求項１３記載の信号生成器において、
前記電流制御形発振器へ提供される電流入力信号の寄生振動を阻止するため、電流比較ノードと電気的に連絡するループ補償回路をさらに備える信号生成器。
【請求項１９】
信号生成器であって、
周波数が電圧入力信号の大きさに対応する振動出力信号を生成するように構成された電圧制御形発振器と、
第１および第２の電流ブランチを有する電流ミラーと、
前記電圧制御形発振器から振動出力信号を受信するように配置され、前記電圧制御形発振器の振動出力信号の周波数に対応する非重複クロック信号を生成する非重複クロック回路と、
前記電流ミラーの第１のブランチを通る周波数依存性電流を生成するために非重複クロック信号の受信に反応する周波数−電流変換器であって、前記電流ミラーの第１のブランチを通る周波数依存性電流が前記電圧制御形発振器の振動出力信号の周波数に対応する大きさを有する周波数−電流変換器と、
電流比較ノードで基準電流を提供するように構成された定電流基準回路であって、前記電流ミラーの第２のブランチが電流比較ノードと電気的に連絡し、前記電流ミラーの第２のブランチを通る電流の大きさと基準電流の大きさとの差は電流比較ノードにおいて補正電圧をなす定電流基準回路と、
補正電圧を受信するように配置された第１の入力と基準電圧を受信するように配置された第２の入力とを有し、前記電圧制御形発振器と電気的に連絡しかつ電圧入力信号として前記電圧制御形発振器へ提供される出力を有する差動増幅器と、
を備える信号生成器。
【請求項２０】
請求項１９記載の信号生成器において、
前記周波数−電流変換器は、
キャパシタと、
前記非重複クロック回路からの第１の非重複クロック信号の受信に基づき伝導状態と非伝導状態とで切り替え可能な第１のＭＯＳトランジスタと、
前記非重複クロック回路からの第２の非重複クロック信号の受信に基づき伝導状態と非伝導状態とで切り替え可能な第２のＭＯＳトランジスタと、を備え、
前記電流ミラーの第１のブランチを通る電流を生成するため、前記第１および第２のＭＯＳトランジスタを通る電流の流れは、前記キャパシタを交互に充電および放電する信号生成器。
【請求項２１】
請求項１９記載の信号生成器において、
振動出力信号の周波数を変えるため、前記定電流基準回路の基準電流はプログラム可能である信号生成器。
【請求項２２】
信号を生成する方法であって、
多位相振動出力信号の周波数を制御するフィードバック信号に応じて多位相振動出力信号を生成するステップと、
多位相振動出力信号の周波数に対応する電流の大きさを有する電流出力信号を生成するステップと、
フィードバック信号を生成するために電流出力信号を基準信号と比較するステップと、
を含む方法。
【請求項２３】
請求項２２記載の方法において、
前記電流出力信号を生成するステップは、
多位相振動出力信号の周波数に比例する第１の電流を電流比較ノードへ提供することと、
フィードバック信号の生成に用いる補正電圧を電流比較ノードで生成するために定電流源から電流比較ノードへ第２の電流を提供することと、
を含む方法。
【請求項２４】
請求項２３記載の方法において、
第２の電流を変えることにより多位相振動出力信号の周波数を変えるために定電流源をプログラムするステップをさらに含む方法。